(57)【要約】【課題】簡易に折板屋根に設置することが可能な折板屋根用屋上緑化システムを提供する。【解決手段】凸部と凹部が交互に位置してそれらが直線状に延在する折板屋根１０上に設置される折板屋根用屋上緑化システムにおいて、突出部２２が底面から挿入されることによって折板屋根上に敷設される第１植栽マット１２と、第１植栽マット上に敷設される第２植栽マット１２と、を備え、第１植栽マットは、熱可塑性樹脂から構成され、熱可塑性樹脂とは異なる合成樹脂によって底面にコーティング２０が施され、平面長方形状に形成された二以上の第１植栽マット部材１８を並設させることによって形成され、第２植栽マットは、熱可塑性樹脂から構成され、平面長方形状に形成された二以上の第２植栽マット部材２４を第１植栽マット部材と長辺を交差させて並設させることによって形成され、第２植栽マット部材の接触面の少なくとも一部を熱融着させた。【選択図】図１
2009281100.tif 000002
【特許請求の範囲】
【請求項１】
凸部と凹部が交互に位置してそれらが直線状に延在し、該凸部の頂部に突出部を有する折板屋根上に設置される折板屋根用屋上緑化システムにおいて、
前記突出部が底面から挿入されることによって折板屋根上に敷設される第１植栽マットと、
該第１植栽マット上に敷設される第２植栽マットと、を備え、
前記第１植栽マットは、熱可塑性樹脂から構成され、該熱可塑性樹脂とは異なる合成樹脂によって底面にコーティングが施され、平面長方形状に形成された二以上の第１植栽マット部材を並設させることによって形成され、
前記第２植栽マットは、熱可塑性樹脂から構成され、平面長方形状に形成された二以上の第２植栽マット部材を前記第１植栽マット部材と長辺を交差させて並設させることによって形成され、
前記第２植栽マット部材の接触面の少なくとも一部を熱融着させたことを特徴とする折板屋根用屋上緑化システム。
【請求項２】
前記第１植栽マット部材及び第２植栽マット部材は、ポリエステル及び低融点ポリエステルを原料として含む不織布から構成されていることを特徴とする請求項１記載の折板屋根用屋上緑化システム。
【請求項３】
前記コーティングは、防根作用を有することを特徴とする請求項１又は２記載の折板屋根用屋上緑化システム。
【請求項４】
前記コーティングは、ポリエチレンを主原料とすることを特徴とする請求項１乃至３いずれか記載の折板屋根用屋上緑化システム。
【発明の詳細な説明】
【技術分野】
【０００１】
本発明は、簡易に設置が可能な折板屋根用屋上緑化システムに関する。
【背景技術】
【０００２】
従来から、建物の屋上を緑化することが行われており、様々な緑化システムが提案されている。屋上の形状は、様々であり、例えば、凸部と凹部が交互に位置してそれらが直線状に延在する折板屋根がある。このような折板屋根の緑化システムは、図４に示すように折板屋根３０の凸部３２の頂部に支持部材３４をボルトなどによって固定することによって各凸部の頂部間を架橋し、その架橋された支持部材の上に植栽マット３６などを敷設している（特許文献１参照）。
【０００３】
【特許文献１】特開２００６−２５７６８号公報
【発明の開示】
【発明が解決しようとする課題】
【０００４】
しかしながら、このように支持部材を折板屋根の凸部の頂部にボルトによって固定する作業は、煩雑である。そこで、本発明は、簡易に折板屋根に設置することが可能な折板屋根用屋上緑化システムを提供することを目的とする。
【課題を解決するための手段】
【０００５】
以上の目的を達成するため、本発明は、凸部と凹部が交互に位置してそれらが直線状に延在し、該凸部の頂部に突出部を有する折板屋根上に設置される折板屋根用屋上緑化システムにおいて、前記突出部が底面から挿入されることによって折板屋根上に敷設される第１植栽マットと、該第１植栽マット上に敷設される第２植栽マットと、を備え、前記第１植栽マットは、熱可塑性樹脂から構成され、該熱可塑性樹脂とは異なる合成樹脂によって底面にコーティングが施され、平面長方形状に形成された二以上の第１植栽マット部材を並設させることによって形成され、前記第２植栽マットは、熱可塑性樹脂から構成され、平面長方形状に形成された二以上の第２植栽マット部材を前記第１植栽マット部材と長辺を交差させて並設させることによって形成され、前記第２植栽マット部材の接触面の少なくとも一部を熱融着させたことを特徴とする。
【０００６】
以上のように、本発明に係る折板屋根用屋上緑化システムによれば、支持部材を介在させずに折板屋根上に直接第１植栽マットを敷設しているので、支持部材を折板屋根の凸部の頂部にボルトによって固定する作業を必要とせずに、簡易に屋上緑化システムを折板屋根に設置することができる。また、本発明に係る折板屋根用屋上緑化システムによれば、第１植栽マットを形成する第１植栽マット部材の底面にコーティングが施されており、第１植栽マット部材と第２植栽マット部材は、交差させて敷設されているので、支持部材を設けずに直接折板屋根に設置しても、強度を十分に保つことができる。
【０００７】
本発明に係る折板屋根用屋上緑化システムにおいて、前記第１植栽マット部材及び第２植栽マット部材は、ポリエステル及び低融点ポリエステルを原料として含む不織布から構成されていることが好ましく、前記コーティングは、防根作用を有することが好ましく、ポリエチレンを主原料とすることが好ましい。
【発明の効果】
【０００８】
以上のように、本発明によれば、簡易に折板屋根に設置することが可能な折板屋根用屋上緑化システムを提供することができる。
【発明を実施するための最良の形態】
【０００９】
次に、本発明に係る折板屋根用屋上緑化システムの実施例について図面に基づいて説明する。図１は、本実施例に係る折板屋根用屋上緑化システムを折板屋根に設置した状態を示す正面断面図であり、図２は、本実施例に係る折板屋根用屋上緑化システムの平面図であり、図３は、本実施例に係る折板屋根用屋上緑化システムを折板屋根に設置した状態を示す斜視図である。
【００１０】
本実施例に係る折板屋根用屋上緑化システムは、図１に示すように、折板屋根１０上に直接敷設される第１植栽マット１２と、第１植栽マット１２上に敷設される第２植栽マット１４と、を備えており、この第２植栽マット１４上に土壌１６が敷設されている。
【００１１】
第１植栽マット１２は、平面長方形状に形成された二以上の第１植栽マット部材１８を並設させることによって形成される。第１植栽マット部材１８は、熱可塑性樹脂、例えばポリエステル及び低融点ポリエステルを原料として含む不織布（（株）清水フェルト工業製、商品名：プロテクター法面）から構成され、その底面には、ポリエチレン製の防根シート２０がコーティングされている。第１植栽マット部材１８の長辺１８Ａの長さは、折板屋根の凸部１０Ａの間隔よりも十分に長い長さを有する。第１植栽マット部材１８は、その長辺１８Ａを凸部１０Ａの延在方向に対して垂直に交わるように並列させ、その底面１８Ｂに折板屋根１０の凸部１０Ａの頂部に形成されたネジなどの突出部２２を挿入させることによって、折板屋根１０上に敷設される。なお、折板屋根１０の凸部１０Ａの頂部にネジなどの突出部２２が形成されていない場合は、別途取り付けることによって行う。また、第１植栽マット部材１８の底面１８Ｂへの突出部２２の挿入は、第１植栽マット部材１８の底面１８Ｂを突出部２２に押しつけることによって行う。
【００１２】
第２植栽マット１４は、平面長方形状に形成された二以上の第２植栽マット部材２４を並設させることによって形成される。第２植栽マット部材２４は、第１植栽マット部材１８と同様の熱可塑性樹脂から構成されており、同一形状に形成されているが、底面に防根シートはコーティングされていない。第２植栽マット部材２４は、図１乃至３に示すように敷設された第１植栽マット部材１８と長辺１８Ａ、２４Ａが垂直に交わるように、敷設された第１植栽マット部材１８上に並列させる。並列された第２植栽マット部材２４は、その接触部分をバーナーなどによって溶融させて熱融着させることによって固定する。
【００１３】
本実施例に係る折板屋根用屋上緑化システムによれば、第１植栽マット１２を形成する第１植栽マット部材１８の底面にコーティングが施されており、第１植栽マット部材１８と第２植栽マット部材２４は、交差させて敷設されているので、支持部材を設けずに直接折板屋根に設置しても、強度を十分に保つことができる。また、第２植栽マット部材２４は、熱融着されているので、風などによってばたつくことはない。さらに、第１植栽マット部材１８の底面１８Ｂのコーティングによって、緑化システムの底面から水が蒸発することを防止でき、緑化システムの底面からの乾燥を防止することができる。
【図面の簡単な説明】
【００１４】
【図１】本発明に係る折板屋根用屋上緑化システムの実施例を折板屋根に設置した状態を示す正面断面図である。
【図２】本実施例に係る折板屋根用屋上緑化システムの平面図である。
【図３】本実施例に係る折板屋根用屋上緑化システムを折板屋根に設置した状態を示す斜視図である。
【図４】従来の折板屋根用屋上緑化システムを折板屋根に設置した状態を示す正面断面図である。
【符号の説明】
【００１５】
１０   折板屋根
１２   第１植栽マット
１４   第２植栽マット
１８   第１植栽マット部材
２０   防根シート
２２   突出部
２４   第２植栽マット部材
【図１】
2009281100.tif 000003
【図２】
2009281100.tif 000004
【図３】
2009281100.tif 000005
【図４】
2009281100.tif 000006